【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
バッテリーボックスであって、前記バッテリーボックスは、ボックス本体、及び前記ボックス本体に設けられたボックスロック装置を備え、前記ボックスロック装置は、ロック状態とロック解除状態との間で変化可能であり、前記ボックスロック装置は、ブラケットに対する前記バッテリーボックスのロックを達成するように、前記バッテリーボックスが取り付けられる前記ブラケットと協力するために使用され、
前記ボックスロック装置は、前記ボックス本体から弾性的に伸縮できるボルトを含み、前記ボルトが前記ボックス本体から弾性的に伸びるとき、前記ボックスロック装置は前記ロック状態であり、
及び／又は、前記バッテリーボックスはロック解除装置をさらに備え、前記ロック解除装置は、前記ボックスロック装置が前記ロック状態から前記ロック解除状態に変化するように、前記ボックスロック装置をインターロックするために使用され、
及び／又は、前記バッテリーボックスはロック保護装置をさらに備え、前記ロック保護装置は、前記ロック装置が前記ロック状態から前記ロック解除状態に変化するのを制限するために使用され、
及び／又は、前記ボックス本体の対向する両側にはいずれも前記ボックスロック装置が設けられ、
前記ロック解除装置は、ロック解除チャック、ロック解除レバー、及びインターロック機構を含み、前記ロック解除チャックは、前記ロック解除レバーに接続され、前記ロック解除レバーと前記ボックスロック装置は、前記インターロック機構によって接続される、ことを特徴とする、
バッテリーボックス。
【請求項２】
前記ロック保護装置は回転軸を含み、前記回転軸は前記ボックスロック装置に接続される、ことを特徴とする、
請求項１に記載のバッテリーボックス。
【請求項３】
前記バッテリーボックスは、複数のボックス制限部材をさらに備え、前記ボックス制限部材は、前記バッテリーボックスが取り付けられたブラケットと協力するために使用され、前記バッテリーボックスが前記ブラケットに取り付けられた後、前記ボックス制限部材は、前記ブラケットに対する前記バッテリーボックスの複数の方向への動きを制限するために使用され、
好ましくは、前記ボックス制限部材は、ボックス前部Ｘ方向制限部材及びボックス前部Ｚ方向制限部材を含み、前記バッテリーボックスがブラケットに取り付けられた後、前記ボックス前部Ｘ方向制限部材は、前記バッテリーボックスが前記ブラケットに対してＸ方向に沿って移動するのを制限するために使用され、前記ボックス前部Ｚ方向制限部材は、前記バッテリーボックスが前記ブラケットに対してＺ方向に沿って移動するのを制限するために使用され、前記Ｘ方向と前記Ｚ方向は垂直であり、
好ましくは、前記ボックス前部Ｘ方向制限部材及びボックス前部Ｚ方向制限部材の両方は突起部であり、且つ前記ボックス前部Ｘ方向制限部材及びボックス前部Ｚ方向制限部材の両方は前記ボックス本体の側面に設けられる、ことを特徴とする、
請求項１または２に記載のバッテリーボックス。
【請求項４】
前記ボックス本体の対向する両側にはいずれも前記ボックス前部Ｘ方向制限部材及びボックス前部Ｚ方向制限部材が設けられ、
及び／又は、前記ボックス前部Ｚ方向制限部材は円筒体であり、前記円筒体の端部は前記ボックスの側面に固定される、ことを特徴とする、
請求項３に記載のバッテリーボックス。
【請求項５】
前記ボックス制限部材は、ボックス後部ＹＺ方向制限部材を含み、前記バッテリーボックスが前記ブラケットに取り付けられた後、前記ボックス後部ＹＺ方向制限部材は、前記バッテリーボックスがブラケットに対してＹ方向及びＺ方向に移動するのを制限するために使用され、前記Ｙ方向は前記Ｚ方向に垂直であり、
好ましくは、前記ボックス後部ＹＺ方向制限部材は突起部であり、且つ、前記ボックス後部ＹＺ方向制限部材は前記ボックス本体の後面に設けられる、ことを特徴とする、
請求項３に記載のバッテリーボックス。
【請求項６】
前記ボックス制限部材は剛体である、ことを特徴とする、
請求項３に記載のバッテリーボックス。
【請求項７】
前記バッテリーボックスは、電気コネクタを含み、前記電気コネクタは、ブラケットに設けられた電気コネクタ車両端及びボックス本体に設けられた電気コネクタバッテリー端を含み、前記電気コネクタ車両端は、高電圧ポールを含み、前記電気コネクタバッテリー端は、高電圧端子を含み、前記高電圧ポールと前記高電圧端子との間に少なくとも１つの導電性弾性体が押し付けられる、ことを特徴とする、
請求項１に記載のバッテリーボックス。
【請求項８】
前記バッテリーボックスは、前記ボックス本体に設けられた複数の制限部材をさらに含み、前記制限部材は、前記ブラケットに対する前記バッテリーボックスの制限を実現するように、前記バッテリーボックスが取り付けられたブラケットと係合するために使用され、
複数の前記制限部材は、
前記バッテリーボックスが前記ブラケットに対してＸ方向に移動するのを制限するために使用されるＸ方向制限部材と、
前記バッテリーボックスが前記ブラケットに対してＹ方向に移動するのを制限するために使用されるＹ方向制限部材と、及び
前記バッテリーボックスが前記ブラケットに対してＺ方向に移動するのを制限するために使用されるＺ方向制限部材と、を含み、
ここで、前記Ｘ方向、Ｙ方向及びＺ方向は、互いに垂直である、ことを特徴とする、
請求項１に記載のバッテリーボックス。
【請求項９】
前記Ｘ方向制限部材は、前部Ｘ方向制限部材及び後部Ｘ方向制限部材を含み、前記Ｙ方向制限部材は、前部Ｙ方向制限部材及び後部Ｙ方向制限部材を含み、前記Ｚ方向制限部材は、前部Ｚ方向制限部材及び後部Ｚ方向制限部材を含み、
及び／又は、前記制限部材は前記ボックス本体に突出して設けられる、ことを特徴とする、
請求項８に記載のバッテリーボックス。
【請求項１０】
複数の前記制限部材は剛体である、ことを特徴とする、
請求項９に記載のバッテリーボックス。
【請求項１１】
前記ロック装置は、前記Ｘ方向制限部材又は前記Ｙ方向制限部材又は前記Ｚ方向制限部材の一部であり、
及び／又は、前記バッテリーボックスは、ロック解除装置をさらに備え、前記ロック解除装置は、前記ロック装置が前記ロック状態から前記ロック解除状態に変化するように前記ロック装置をインターロックするために使用され、
及び／又は、前記バッテリーボックスは、ロック保護装置をさらに備え、前記ロック保護装置は、前記ロック装置が前記ロック状態から前記ロック解除状態に変化するのを制限するために使用される、ことを特徴とする、
請求項８に記載のバッテリーボックス。
【請求項１２】
前記バッテリーボックスは、ガイドレールをさらに備え、前記ガイドレールは、前記ブラケットと係合するために使用され、
好ましくは、前記ガイドレールは前記バッテリーボックスの底部に設けられる、ことを特徴とする、
請求項８から１１のいずれか１項に記載のバッテリーボックス。
【請求項１３】
前記ガイドレールは前記Ｙ方向に沿って延び、
及び／又は、前記バッテリーボックスは、複数本のガイドレールを有し、複数の前記ガイドレールは平行に設けられ、
及び／又は、前記ガイドレールにはガイドリブが設けられ、前記ガイドリブの延在方向は前記ガイドレールと同じである、ことを特徴とする、
請求項１２に記載のバッテリーボックス。
【請求項１４】
前記バッテリーボックスには、ブラケットと電気的に接続するための電気接続装置をさらに備え、
好ましくは、前記電気接続装置は、前記バッテリーボックスの後部に配置される、ことを特徴とする、
請求項８から１３のいずれか１項に記載のバッテリーボックス。
【請求項１５】
前記バッテリーボックスには防爆バルブが設けられ、前記防爆バルブは、前記ボックス内の圧力がある閾値に達したときにボックス本体の内部空間を外部と連通させるために使用され、
及び／又は、前記ボックス本体は板金部品である、ことを特徴とする、
請求項８から１４のいずれか１項に記載のバッテリーボックス。
【請求項１６】
ブラケットであって、前記ブラケットは、バッテリーボックスを取り付けるために使用され、前記ブラケットは、フレーム本体、及び前記フレーム本体に設けられたフレームロック装置を備え、前記フレームロック装置は、前記ブラケットに対する前記バッテリーボックスのロックを達成するように前記バッテリーボックスと係合するために使用される、ことを特徴とする、
ブラケット。
【請求項１７】
前記フレームロック装置は、前記フレーム本体に設けられた凹溝であり、
及び／又は、前記フレームロック装置の対向する２つの内部側面にはいずれも前記フレームロック装置が設けられる、ことを特徴とする、
請求項１６に記載のブラケット。
【請求項１８】
前記ブラケットには、複数のフレーム制限部材をさらに備え、前記フレーム制限部材は、前記バッテリーボックスとの係合に使用され、前記バッテリーボックスが前記ブラケットに取り付けられた後、前記フレーム制限部材は  複数の方向で前記ブラケットに対する前記バッテリーボックスの動きを制限するために使用され、
好ましくは、前記フレーム制限部材は、前部Ｘ方向制限部材及びフレーム前部Ｚ方向制限部材を含み、前記バッテリーボックスが前記ブラケットに取り付けた後、前記フレーム前部Ｘ方向制限部材は、前記バッテリーボックスが前記ブラケットに対してＸ方向に沿って移動するのを制限するために使用され、前記フレーム前部Ｚ方向制限部材は、前記バッテリーボックスが前記ブラケットに対してＺ方向に沿って移動するのを制限するために使用され、前Ｘ方向は前期記Ｚ方向と垂直であり、
好ましくは、前記フレーム前部Ｘ方向制限部材は、フレーム前部Ｘ方向弾性部材を含み、前記フレーム前部Ｘ方向弾性部材は、前記フレーム本体に突出して設けられ、前記フレーム前部Ｚ方向制限部材は、フレーム前部Ｚ方向溝、及び前記フレーム前部Ｚ方向溝に設けられたフレーム前部Ｚ方向弾性部材を含み、前記フレーム前部Ｘ方向弾性部材及び前記フレーム前部Ｚ方向弾性部材はいずれも前記バッテリーボックスと圧接するために使用され、
好ましくは、前記フレーム本体の対向する２つの内部側面にはいずれも前記フレーム前部Ｘ方向制限部材及びフレーム前部Ｚ方向制限部材が設けられる、ことを特徴とする、
請求項１６又は１７に記載のブラケット。
【請求項１９】
前記フレーム制限部材は、フレーム後部Ｘ方向制限部材を含み、前記フレーム後部Ｘ方向制限部材は、前記バッテリーボックスが前記ブラケットに対してＸ方向に沿って移動するのを制限するために使用され、
好ましくは、前記フレーム後部Ｘ方向制限部材は、フレーム後部Ｘ方向制限ローラーを含み、前記フレーム後部Ｘ方向制限ローラーは、前記バッテリーボックスと圧接するために使用される、ことを特徴とする、
請求項１８に記載のブラケット。
【請求項２０】
前記フレーム制限部材は、フレーム後部ＹＺ方向制限部材を含み、前記バッテリーボックスが前記ブラケットに取り付けられた後、前記フレーム後部ＹＺ方向制限部材は、前記バッテリーボックスが前記ブラケットに対してＹ方向及びＺ方向に沿って移動することを制限するために使用され、前記Ｙ方向は延期Ｚ方向に垂直であり、
好ましくは、前記フレーム後部ＹＺ方向制限部材は、フレーム後部ＹＺ方向溝、及び前記フレーム後部ＹＺ方向溝に設けられたフレーム後部Ｙ方向制限部材、及びフレーム後部Ｚ方向制限部材を含み、前記フレーム後部Ｙ方向制限部材及びフレーム後部Ｚ方向制限部材は、前記バッテリーボックスとの圧接に使用される、
好ましくは、前記フレーム後部Ｙ方向制限部材は、フレーム後部Ｙ方向弾性部材を含み、前記フレーム後部Ｚ方向制限部材は、フレーム後部Ｚ方向制限ローラーを含み、前記フレーム後部Ｙ方向弾性部材及び前記フレーム後部Ｚ方向制限ローラーはいずれも前記バッテリーボックスとの圧接に使用される、ことを特徴とする、
請求項１８に記載のブラケット。
【請求項２１】
前記フレーム後部ＹＺ方向制限部材は、前記フレーム本体の内部後面に設けられる、ことを特徴とする、
請求項２０に記載のブラケット。
【請求項２２】
前記フレーム本体は、
ベースと、
前記ブラケットの後端に垂直に設けられる後端壁と、
前記ブラケットの両側に垂直に設けられて前記後端壁の両端に接続される２つの側壁と、を含み
前記フレームロック装置は、
Ｘ方向制限のために２つの前記側壁に設けられるＸ方向制限機構と、
Ｙ方向制限のために前記後端壁及び２つの前記側壁に設けられるＹ方向制限機構と、
Ｚ方向制限のために前記後端壁及び２つの前記側壁に設けられるＺ方向制限機構と、を含み
ここで、Ｘ方向、Ｙ方向、及びＺ方向は互いに垂直である、ことを特徴とする、
請求項１６に記載のブラケット。
【請求項２３】
前記Ｘ方向制限機構は、前部Ｘ方向制限ユニット及び後部Ｘ方向制限ユニットを含み、前記Ｙ方向制限機構は、前部Ｙ方向制限ユニット及び後部Ｙ方向制限ユニットを含み、前記Ｚ方向制限機構は、前部Ｚ方向制限ユニット及び後部Ｚ方向制限ユニットを含み、
前記前部Ｘ方向制限ユニット、前記前部Ｙ方向制限ユニット、及び前記前部Ｚ方向制限ユニットは、２つの前記側壁の前端に設けられ、前記後部Ｘ方向制限ユニットは、２つの前記側壁に設けられ、前記後部Ｙ方向制限ユニット及び前記後部Ｚ方向制限ユニットは、前記後端壁に設けられる、ことを特徴とする、
請求項２２に記載のブラケット。
【請求項２４】
前記前部Ｘ方向制限ユニット、前記前部Ｙ方向制限ユニット、及び前記前部Ｚ方向制限ユニットが一対一に対応して設けられ、前記前部Ｘ方向制限ユニット及び対応する前部Ｙ方向制限ユニットは、両方とも、対応する前部Ｚ方向制限ユニットの下に位置し、
及び／又は、前記前部Ｘ方向制限ユニットは、ガスケット及び弾性シートを含み、前記弾性シートは前記側壁に接続され、前記ガスケットは前記弾性シートに接続される、
及び／又は、前記Ｙ方向制限ユニットは、Ｚ方向制限溝を含む、ことを特徴とする、
請求項２３に記載のブラケット。
【請求項２５】
前部Ｙ方向制限ユニットには、ロック部材をさらに含む、ことを特徴とする、
請求項２４に記載のブラケット。
【請求項２６】
前記前部Ｚ方向制限ユニットは、Ｙ方向制限溝を含み、
及び／又は、前記後部Ｘ方向制限ユニットは、プーリー及び弾性ブラケットを含み、前記プーリーは前記側壁に枢動可能に接続され、前記弾性ブラケットは前記プーリーのホイール面と前記側壁の間に設けられ、前記プーリーの転がり方向はＹ方向である、
及び／又は、前記後部Ｙ方向制限ユニット及び前記後部Ｚ方向制限ユニットは一対一に対応して設けられ、前記後部Ｙ方向制限ユニットは対応する前記後部Ｚ方向制限ユニットの下に位置し、
及び／又は、前記後部Ｙ方向制限ユニットはＹ方向制限突起であり、前記制限突起は前記Ｙ方向に沿って延び、
及び／又は、前記後部Ｚ方向制限ユニットはローラー及び弾性ブロックであり、前記ローラーは前記後端壁に枢動可能に接続され、前記ローラーの軸は前記Ｘ方向に沿って延び、前記弾性ブロックは前記後端壁に接続され、且つ、前記ローラーの上に位置する、ことを特徴とする、
請求項２３に記載のブラケット。
【請求項２７】
２つの前記側壁の前端には制限ブラケットが設けられ、前部Ｘ方向制限ユニット、前部Ｙ方向制限ユニット及び前部Ｚ方向制限ユニットが前記制限ブラケットに設置され、
及び／又は、前記ベースは、並んで配置された複数のセットの底部ガイドホイールセットを含み、複数の前記底部ガイドホイールセットは、前記後壁に垂直な方向に延び、
及び／又は、前記側壁の少なくとも１つは、側部ガイドホイールセットを含み、各前記側部ガイドホイールセットは、前記後端壁に垂直な方向に延び、
及び／又は、前記後端壁には電気接続装置が設けられる、ことを特徴とする、
請求項２２に記載のブラケット。
【請求項２８】
少なくとも１組の前記底部ガイドホイールセットの各ガイドホイールには、前記ガイドホイールの円周方向に沿ってガイド溝が設けられ、各ガイド溝は接続されてガイドレールを形成し、前記ガイドレールは前記後端壁に垂直な方向に沿って延びる、ことを特徴とする、
請求項２７に記載のブラケット。
【請求項２９】
バッテリーボックスアセンブリであって、請求項１から７のいずれか１項に記載のバッテリーボックス、及び請求項１６から２１のいずれか１項に記載のブラケットを含み、前記ボックスロック装置は、前記フレームロック装置と係合される、ことを特徴とする、
バッテリーボックスアセンブリ。